(57)【要約】  【課題】  ディスク装置における振動を吸収する緩衝部材をトラバースアッシィの４隅位置に配設させることのできるディスク装置を提供する。  【解決手段】  ディスク装置９０におけるトラバースアッシィ２１上の駆動力伝達ギアを構成する第３ギア３４（駆動力伝達ギア）に開口２を設け、その開口２内部にダンパー１を配設する。【選択図】      図１
2006040390.tif 000002
【特許請求の範囲】
【請求項１】
駆動モーター、およびこの駆動モーターを搭載させるローダーシャーシから成るローダ
ーシャーシユニットと、
ディスクを載置させるディスクトレイと、
上記ディスクに対して光を照射させる光ピックアップユニット、およびこの光ピックア
ップユニットを搭載させるとともに、上記駆動モーターからの駆動力を伝達させる駆動力
伝達ギアを備え、かつ上記ローダーシャーシの一端を支点として取り付けられることで、
昇降往復移動可能なトラバースアッシィから成るトラバースアッシィユニットと、
を含むディスク装置において、
上記駆動モーターの正回転方向の駆動に基づいて、上記光ピックアップユニットを上記
ディスクの内周へと移動させ、次に上記トラバースアッシィユニットを降下させ、さらに
、上記ディスクトレイをオープンさせる一方、
上記駆動モーターの逆回転方向の駆動に基づいて、上記ディスクトレイをクローズさせ
、次に上記トラバースアッシィユニットを上昇させ、さらに、上記光ピックアップユニッ
トを上記ディスクの外周へと移動させるようになっており、
加えて、上記トラバースアッシィ上の端部または隅部の少なくとも一方に緩衝部材を設
けるとともに、その緩衝部材の外周を囲むような円環状で、かつトラバースアッシィ上か
ら突起した軸ボスを設け、
さらに、上記駆動力伝達ギアに開口を設け、その開口と、上記軸ボスとを嵌めあわせて
いることを特徴とするディスク装置。
【請求項２】
駆動モーター、およびこの駆動モーターを搭載させるローダーシャーシから成るローダ
ーシャーシユニットと、
上記駆動モーターからの駆動力を伝達させる駆動力伝達ギアを備えるとともに、上記ロ
ーダーシャーシの一端を支点として取り付けられることで、昇降往復移動可能なトラバー
スアッシィから成るトラバースアッシィユニットと、
を含むディスク装置において、
上記トラバースアッシィ上に緩衝部材を設けるとともに、その緩衝部材の外周を囲むよ
うな円環状で、かつトラバースアッシィ上から突起した軸ボスを設け、
さらに、上記駆動力伝達ギアに開口を設け、その開口と、上記軸ボスとを嵌めあわせて
いることを特徴とするディスク装置。
【請求項３】
上記駆動力伝達ギアを上記トラバースアッシィの端部または隅部の少なくとも一方に配
設させていることを特徴とする請求項２に記載のディスク装置。
【発明の詳細な説明】
【技術分野】
【０００１】
本発明は、例えば、ＣＤやＤＶＤ等のディスク装置に関するものであり、特に、スピン
ドルモーター等の駆動機構の大部分を収容したトラバースアッシィ（枠体）のユニットに
生じる振動を防止するための部材に関するものである。
【背景技術】
【０００２】
一般的なディスク装置において、音飛びや画像の乱れの主たる原因は、振動と考えられ
る。そこで、振動防止の対策が施されたディスク装置が種々開発されている。
【０００３】
例えば特許文献１のように、光ピックアップユニット（ＯＰＵ）を備え、チャッキング
等のために昇降移動可能となっている保持部材（トラバースアッシィ）の４隅の緩衝部材
を設けたディスク装置が開発されている。
【０００４】
確かに、上記の特許文献１に示すように、保持部材の４隅（隅部）に緩衝部材を配設さ
せると、ディスク装置のケース本体と、その保持部材との間の隙間（クリアランス）に、
緩衝部材が介在することになり、ディスクの回転等により振動を効率よく吸収させること
ができる。つまり、保持部材の４隅に緩衝部材が位置することで、上記のような振動が発
生しても、保持部材とケースとが常に解離状態となるので、振動に起因する音飛びや画像
の乱れを防止できる。
【特許文献１】特開２００３−２２６６５号公報
【発明の開示】
【発明が解決しようとする課題】
【０００５】
しかしながら、保持部材の面上には、例えばＯＰＵの再生等の移動や、保持部材自体の
昇降移動に利用される駆動力を、それらの部材（ＯＰＵ、保持部材等）に伝達させるため
のギア群が配設されるようになっている。そして、このようなギア群は、部品点数を削減
させようとすると、各々のギアの大きさが大型化してしまう。また、１つの駆動モーター
で複数の部材（例えばＯＰＵや保持部材等）を移動させようとすると、複数のギアによる
複雑な配置が生じてしまう。
【０００６】
すると、保持部材の４隅に緩衝部材を配設させようとしても、その４隅に大型化したギ
アや、複数のギアが配置されている場合があり、緩衝部材を配設できない場合が生じ得る
。そうすると、緩衝部材の位置は、不本意ながら、保持部材の４隅以外の箇所に配設しな
くてはならず、振動吸収の効果が低下してしまうという問題が生じる。
【０００７】
そこで、本発明は、上記の問題に鑑みてなされたものであり、保持部材の４隅にギアを
配置せざるをえないような場合であっても、緩衝部材をその４隅に配設させることのでき
るディスク装置を提供することを目的とする。
【課題を解決するための手段】
【０００８】
本発明は、駆動モーター、およびこの駆動モーターを搭載させるローダーシャーシから
成るローダーシャーシユニットと、上記駆動モーターからの駆動力を伝達させる駆動力伝
達ギアを備えるとともに、上記ローダーシャーシの一端を支点として取り付けられること
で、昇降往復移動可能なトラバースアッシィから成るトラバースアッシィユニットと、を
含むディスク装置であって、上記トラバースアッシィ上に緩衝部材を設けるとともに、そ
の緩衝部材の外周を囲むような円環で、かつトラバースアッシィ上から突起した軸ボスを
設け、さらに、上記駆動力伝達ギアに開口を設け、その開口と、上記軸ボスとを嵌めあわ
せていることを特徴としている。
【０００９】
これによると、駆動力伝達ギアの内部に緩衝部材（ダンパー等）が設けられることから
、駆動力伝達ギアの同位置に緩衝部材が位置することになる。すると、例えば駆動力モー
ターの駆動力を各部材（例えば光ピックアップユニットやディスクトレイ等）に伝達させ
るために、複数の駆動力伝達ギアが設けられ、そのために、トラバースアッシィ上に数多
くの駆動力伝達ギアが配設されているようなディスク装置であっても、緩衝部材（ダンパ
ー等）を配設するスペースを確保することができる。
【００１０】
したがって、例えば駆動力伝達ギアが設けられる位置が、上記トラバースアッシィの端
部（例えばトラバースアッシィの辺部等）に配設されていても、または、上記トラバース
アッシィの隅部の少なくとも一方に配設されていても構わないことになる。さらには、駆
動力伝達ギアが設けられる位置が、上記トラバースアッシィの端部および隅部に配設され
ていても構わないことにもなる。
【００１１】
なぜなら、上記のような位置に、駆動力伝達ギアが配設されたとしても、本発明の構成
によれば、問題なく、緩衝部材を配設できるためである。つまり、効率よくディスク装置
の振動を吸収できる位置であるトラバースアッシィの隅部（例えば４隅等）であっても、
緩衝部材を配設させることができる。
【００１２】
なお、本発明を詳細に述べると、駆動モーター、およびこの駆動モーターを搭載させる
ローダーシャーシから成るローダーシャーシユニットと、ディスクを載置させるディスク
トレイと、上記ディスクに対して光を照射させる光ピックアップユニット、およびこの光
ピックアップユニットを搭載させるとともに、上記駆動モーターからの駆動力を伝達させ
る駆動力伝達ギアを備え、かつ上記ローダーシャーシの一端を支点として取り付けられる
ことで、昇降往復移動可能なトラバースアッシィから成るトラバースアッシィユニットと
、を含むディスク装置であって、上記駆動モーターの正回転方向の駆動に基づいて、上記
光ピックアップユニットを上記ディスクの内周へと移動させ、次に上記トラバースアッシ
ィユニットを降下させ、さらに、上記ディスクトレイをオープンさせる一方、上記駆動モ
ーターの逆回転方向の駆動に基づいて、上記ディスクトレイをクローズさせ、次に上記ト
ラバースアッシィユニットを上昇させ、さらに、上記光ピックアップユニットを上記ディ
スクの外周へと移動させるようになっており、加えて、上記トラバースアッシィ上の端部
または隅部の少なくとも一方に緩衝部材を設けるとともに、その緩衝部材の外周を囲むよ
うな円環状で、かつトラバースアッシィ上から突起した軸ボスを設け、さらに、上記駆動
力伝達ギアに開口を設け、その開口と、上記軸ボスとを嵌めあわせていることを特徴とし
ている。
【発明の効果】
【００１３】
本発明は、トラバースアッシィの４隅等にギアを配置せざるをえないような場合であっ
ても、緩衝部材をその４隅に配設させることのできるディスク装置となる。
【発明を実施するための最良の形態】
【００１４】
本発明の実施の一形態について、図面に基づいて説明すれば、以下の通りである。
【００１５】
図２〜図６は、本発明のディスク装置を示している。図６はディスク装置の斜視図であ
り、図４は上方からみたディスク装置内部の概略構成図である。図５は下方からみたディ
スク装置内部の概略構成図であり、図３は、図４に示すローダーシャーシやトラバースア
ッシィを省略した概略構成図である。そして、図２は、図４からトラバースアッシィユニ
ットを抽出した概略構成図である。
〈ディスク装置の概要について〉
図６の斜視図に示すように、ディスク装置９０は、外装ハウジング１１にディスクトレ
イ１０がスライド可能に構成されている。
【００１６】
そして、ディスク装置９０は、図４の平面図に示すように、ディスクトレイ１０（便宜
上、トレイラック１３・トレイ溝１２のみ図示）、トラバースアッシィユニット（ＴＡＵ
）２０、およびローダーシャーシユニット（ＬＣＵ）４０を含むように構成されている。
そして、このディスク装置９０では、１つの駆動モーター４３（後述）の駆動力によって
、「ディスクトレイ１０の往復移動」・「光ピックアップユニット（ＯＰＵ）２２の往復
移動」・トラバースアッシィユニット（ＴＡＵ）２０の昇降移動」を行えるようになって
いる。
《ディスクトレイについて》
ディスクトレイ１０は、図６に示すように、ディスクを載置させるものであり、外装ハ
ウジング１１におけるフロントパネル１１ａに設けられたスリット状の出入り口１１ｂか
ら、出たり入ったりするようになっている（トレイン〔ローディング〕／トレイアウト〔
アンローディング〕できるようになっている）。
【００１７】
そして、このような往復移動を実現させるために、図３・図４（便宜上、トレイラック
１３・トレイ溝１２のみ図示）に示すように、ディスクトレイ１０には、駆動力切り替え
機構として、段階的に屈曲し「Ｌ」字上となった（Ｌ字の長手がディスクトレイ１０の長
手に位置し、Ｌ字の短手がディスクトレイ１０の短手に位置するようになった）トレイ溝
１２・１２と、後述のギアトレイ４２から駆動力を伝達されるトレイラック１３とがディ
スクトレイ１０の長手に設けられている。
【００１８】
なお、以降では、フロントパネル１１ａの設けられている方向をフロント側（「Ｆ」）
、その対向方向をリア側（「Ｒ」）と表現するとともに、フロント側からリブ側の方向に
対して垂直方向側をサイド側（「Ｓ」）と表現する（図示する）。
《トラバースアッシィユニットについて》
ＴＡＵ２０は、図４に示すように、トラバースアッシィ２１、ＯＰＵ２２、クラッチギ
ア３１、プレートトリガー２３、スピンドルモーター２４、トラバースホルダー２５、お
よび駆動力伝達ギア群（後述）を含むように構成されている。
【００１９】
トラバースアッシィ２１は、上記のＯＰＵ２２、スピンドルモーター２４、トラバース
ホルダー２５、駆動力伝達ギア群を搭載するように構成された枠体である。そして、この
トラバースアッシィ２１は、ローダーシャーシ４１（後述）のリア側の一端にネジ止めさ
れている。
【００２０】
具体的には、図５に示すように、トラバースアッシィ２１に設けられた取り付け孔に、
その孔自体の周囲（円周）および孔（取り付け孔）方向の両端側を覆いつつも、ローダー
シャーシ４１に設けられた丸ボスを挿入できる開孔を有したフローティングゴム（ダンパ
ー）１を介在させる（はめ込む）。そして、丸ボスに取り付け孔を差し込みながら、その
トラバースアッシィ２１を取り付け、両者（トラバースアッシィ２１・ローダーシャーシ
４１）における取り付け孔と丸ボスとを、取り付けネジで固定させている。
【００２１】
そして特に、取り付けネジのネジ頭と、ローダーシャーシ４１とで一定の間隔を有する
ように固定させる。すると、この間隔を利用して、取り付けネジを支点として回転移動が
可能となり、ディスクを再生等する場合（チャッキングする場合）には、上昇移動し、そ
れ以外の場合（非再生時等の場合）には、下降移動するようになっている。
【００２２】
ＯＰＵ２２は、ディスクに光（レーザー光等）を照射して信号を記録または再生させる
ものであり、トラバースアッシィに設けられたシャフト２２ａ・２２ａに移動可能に設け
られたＯＰＵ用ベース２２ｂに固定されるようになっている（載設されるようになってい
る）。具体的には、レーザー光を出射させる半導体レーザー、レーザー光をディスクの記
録面に集光させる対物レンズ、およびディスクによって反射されたレーザー光を受光する
受光素子等が載設されるようになっている。
【００２３】
なお、ＯＰＵ用ベース２２ｂには、駆動モーター４３（後述）の駆動力を伝達されるＯ
ＰＵラック３０が設けられている。具体的に、このＯＰＵラック３０では、上部にＯＰＵ
２２（ＯＰＵベース２２ｂ）を移動させるために駆動力を伝達されるメインラック３０ａ
が配設され、下部にバックラッシュを取り除くためにコイルバネを利用して、後述する第
１ギア３２（第１Ｂ歯車３２ｂ）のギア歯とメインラック３０ａのギア歯とに隙間を生じ
させないようにするサブラック３０ｂが配設されている。
【００２４】
つまり、ＯＰＵラック３０は、メインラック３０ａ・サブラック３０ｂが重なり合った
ダブルラックとなっている。ただし、サブラック３０ｂの方のギア歯がメインラック３０
ａのギア歯よりもリア側に延びるようにして重なり合っているので、第１ギア（第１Ｂ歯
車３２ｂ）と「メインラック３０ａ・サブラック３０ｂ」とが噛み合う場合、または第１
ギア３２と「サブラック３０ｂ」とが噛み合う場合が生じるようになっている。
【００２５】
なお、サブラック３０ｂには、ディスクに近接する位置に、クラッチギア３１（後述）
と噛み合うＯＰＵクラッチラック３０ｃが設けられている。また、ＯＰＵ２２の移動方向
は、ディスクトレイ１０の移動方向（フロント側とリア側との間の往復移動）と同方向と
なっている。
【００２６】
クラッチギア３１は、ＯＰＵラック３０の移動に連動して、プレートトリガー２３を移
動させるものである。具体的には、ＯＰＵクラッチラック３０Ｃと噛み合うαギア３１ａ
と、プレートトリガー２３に設けられたギア（ＰＴギア２３ａ）と噛み合うβギア３１ｂ
とを含むように構成されており、かつトラバースアッシィ２１上に回動可能に軸支されて
いる。
【００２７】
なお、クラッチギア３１の回動に応じて、ＯＰＵラック３０（メインラック３０ａ・サ
ブラック３０ｂ）のギア歯と第１ギア３２の第１Ｂ歯車３２ｂとが、噛み合ったり、また
は噛み合わなかったりするようになっている。
【００２８】
プレートトリガー２３は、クラッチギア３１のβギア３１ｂと噛み合うＰＴギア２３ａ
を有するとともに、カムスライダー４４（後述）の連結溝（不図示）に嵌る連結ボス２３
ｂを有した部材である。そして、ＯＰＵラック３０の移動に応じて回動（連動）するクラ
ッチギア３１に応じて、サイド方向（ディスクトレイの移動方向に対して垂直方向）に往
復移動可能となるようにトラバースアッシィ２１上に取り付けられている。
【００２９】
スピンドルモーター２４は、チャッキングされたディスクを回転させるモーターである
。なお、チャッキングのために（ディスク再生等のために）、スピンドルモーター２４の
搭載したトラバースアッシィ２１（ＴＡＵ２０）が昇降する動作については後述する。
【００３０】
トラバースホルダー２５は、トラバースアッシィ２１の端部（具体的には、フロント側
の端部）に取り付けられた動力伝達部材である。そして、このトラバースホルダー２５に
は、フロント側に向かって突起した円柱状の突起体となっているボス（Ｔボス２５ａ）が
設けられており、これが、カムスライダー４４（後述）のカム溝（不図示）に挿入される
ようになっている。そのため、カムスライダー４４の移動に伴って、Ｔボス２５ａがカム
溝に沿って移動し（連動し）、この移動に連動して、ＴＡＵ２０が昇降するようになって
いる。
【００３１】
駆動力伝達ギア群（第１ギア３２・第２ギア３３・第３ギア３４）は、ＬＣＵ４０に設
けられた駆動モーター（ＤＣモーター）４３からの駆動力を、ＯＰＣ２２の往復移動のた
めに伝達するギアや、カムスライダー４４の移動のために伝達するギアである。
【００３２】
具体的には、第１ギア３２、第２ギア３３、および第３ギア３４がトラバースアッシィ
２１に軸支されている。
【００３３】
第１ギア（駆動力伝達ギア）３２は、後述する駆動モーター４３のウォームギア４３ａ
を介して駆動力を伝達される第１Ａ歯車３２ａと、この第１Ａ歯車３２ａの上方に設けら
れ、ＯＰＵラック３０に駆動力を伝達させる第１Ｂ歯車３２ｂと、この第１Ｂ歯車の上方
に設けられ、第２ギア３３に駆動力を伝達させる第１Ｃ歯車３２Ｃとから構成されている
。つまり、ローダーシャーシ４１側から第１Ａ歯車３２ａ・第１Ｂ歯車３２ｂ・第１Ｃ歯
車３２ｃの順で積層構造を有するギアとなっており、トラバースアッシィ２１上に軸支さ
れるようになっている。
【００３４】
第２ギア（駆動力伝達ギア）３３は、上記の第１ギア３２の第１Ｃ歯車３２から駆動力
を伝達されるギアであり、トラバースアッシィ２１上に軸支されるようになっている。
【００３５】
第３ギア（駆動力伝達ギア）３４は、第２ギア３３から駆動力を伝達されるギアであり
、トラバースアッシィ２１上に軸支されるようになっている。
《ローダーシャーシユニットについて》
ＬＣＵ４０は、ローダーシャーシ（本体シャーシ）４１、ギアトレイ４２、駆動モータ
ー４３、カムスライダー４４を含むように構成されている。ローダーシャーシ４１は、図
４に示すように、ＴＡＵ２０を収容する本体シャーシである。そして、駆動モーター４３
、およびカムスライダー４４を搭載するように構成されている。
【００３６】
ギアトレイ４２は、駆動力伝達ギア群から駆動力を伝達されるギアであり、ローダーシ
ャーシ４１上に軸支されるようになっている。具体的には、第３ギア３４からの駆動力を
伝達されるギアトレイＡ歯車４２ａと、カムスライダー４４に駆動力を伝達させるギアト
レイＢ歯車４２ｂとから構成されている。なお、ギアトレイＢ歯車４２ｂには、軸方向に
おいて、一部欠損する部分（間欠部；不図示）が設けられており、第３ギア３４と噛み合
う場合と噛み合わない場合とが生じるように設計されている。
【００３７】
駆動モーター４３は、ＯＰＵ２２の往復移動やカムスライダー４４の往復移動のための
動力源である。なお、この駆動モーター４３の出力軸には、ウォームギア４３ａが設けら
れており、上記の駆動力伝達ギア群に駆動力を伝達するようになっている。
【００３８】
カムスライダー４４は、プレートトリガー２３の連結ボスの係合する連結溝（不図示）
、ディスクトレイ１０のトレイ溝１２・１２に係合する立設ボス４４ｂ・４４ｂ、トラバ
ースホルダー２５のＴボス２５ａと係合するカム溝（不図示）、およびギアトレイ４２と
噛み合うカムスライダーラック４４ｃを含むように構成されている。
【００３９】
そして、このカムスライダー４４は、ローダーシャーシ４１のフロント側の平面におい
て、ディスクトレイ１０の移動方向に対して垂直方向に設けられた溝レール（不図示）に
嵌め込まれ、その溝レールに沿って往復移動できるようになっている。具体的には、ギア
トレイ４２と噛み合うカムスライダーラック４４ｃによって、駆動力伝達ギア群を介して
、駆動モーター４３の駆動力を受け、この駆動力で、カムスライダー４４が、ローダーシ
ャーシ４１の溝レールに沿って往復移動できるようになっている。
【００４０】
なお、カム溝は、鉛直方向における上下側（両端側）の各々の箇所で、水平方向のスリ
ットとなる２つの開口溝（上側開口溝・下側開口溝）と、それらを繋ぐ傾斜開口溝とから
構成されている。そして、このカム溝には、トラバースホルダー２５のＴボス２５ａが挿
入され、カムスライダー４４が、上側開口溝にＴボス２５ａが位置するように移動したら
トラバースホルダー２５（ひいてはＴＡＵ２０）が上昇し、下側開口溝にＴボス２５ａが
位置するように移動したらトラバースホルダー２５が下降するようになっている。
〈各部材の移動について〉
ここで、各部材（ＯＰＵ２２・ＴＡＵ２０・ディスクトレイ１０）における移動（動作
）について、簡単に説明する。
《ＯＰＵの移動について》
まず、ディスク装置９０におけるＯＰＵ２２の移動について説明する。例えば、ユーザ
ーがＤＶＤ等のディスクの再生等を終了し、ディスクをディスク装置９０から取り出そう
とした場合（すなわち、ディスクトレイ１０をオープンさせようとする場合）、外装ハウ
ジング１１に設けられた開閉ボタンを押す。
【００４１】
するとまず、駆動モーターの回転（正回転方向の回転；Ａ１方向の回転）に伴い、ウォ
ームギア４３ａも回転する。そして、ウォームギア４３ａと噛み合った第１ギア３２（第
１Ａ歯車３２ａ）もＢ１方向に回転するようになる。そうすると、この第１ギア３２の第
１Ｂ歯車３２ｂと噛み合ったＯＰＵラック３０がフロント方向（ディスクの内周；Ｃ１方
向）へと移動する。すると、このＯＰＵラック３０の取り付けられたＯＰＵ用ベース２２
ｂも移動し、ひいては、ＯＰＵ２２がフロント方向（ディスクの内周方向）へと移動する
ようになっている。
【００４２】
なお、第１Ｃ歯車３２ｃおよび第２ギア３３と、この第２ギア３３および第３ギア３４
とは、常時噛み合っているために、第１ギア３２・第２ギア３３・第３ギア３４は、常に
駆動モーター４３の駆動力が伝達されるようになっている。しかし、このＯＰＵ２２の移
動時においては、第３ギア３４は、ギアトレイ４２の間欠部に位置するようになっている
。そのため、第３ギア３４を介して、ギアトレイ４２に駆動力は伝達されず、ＴＡＵ２０
の移動やディスクトレイ１０の移動は生じないようになっている。
《ＯＰＵの移動からトラバースアッシィユニットの移動への切り替えについて》
上記のように、ＯＰＵ２２がディスクの内周位置に到達した後も、さらに駆動モーター
４３が回転すると、第１Ｂ歯車３２ｂと噛み合っていたメインラック３０ａ・サブラック
３０ｂから、リア側に延出されたサブラック３０ｂのみが第１Ｂ歯車３２ｂと噛み合うよ
うになる。
【００４３】
すると、サブラック３０ｂは、さらに内周側に移動することになる。そのため、サブラ
ック３０ｂに設けられたＯＰＵクラッチラック３０Ｃが、クラッチギア３１のαギア３１
ａに噛み合うようになりながら、さらにフロント方向へと進行する。すると、メインラッ
ク３０ａが第１Ｂ歯車３２ｂと完全に解離するようになり（噛み合いが解除されて）、Ｏ
ＰＵ２２はディスクの内周位置にて停止した状態となる。その上、このサブラック３０ｂ
の移動に伴い（連動して）、クラッチギア３１が回動し、βギア３１ｂに噛み合ったＰＴ
ギア２３ａを有するプレートトリガー２３がスライド（Ｄ１方向にスライド）するように
なる。
《ＴＡＵの移動（降下）について》
一方、サブラック３０ｂの移動に応じて（連動して）Ｄ１方向に移動するプレートトリ
ガー２３には、連結ボス２３ｂが設けられており、その連結ボス２３ｂが、カムスライダ
ー４４の連結溝に嵌っている。そのため、プレートトリガー２３の移動に連動して若干カ
ムスライダー４４がＥ１方向へと移動（スライド）する。すると、カムスライダー４４の
カムスライダーラック４４ｃもＥ１方向へと移動する。
【００４４】
このようにカムスライダーラック４４ｃがＥ１方向に移動すると、このカムスライダー
ラック４４ｃに噛み合ったギアトレイ４２がＦ１方向へと回転する。すると、ギアトレイ
４２に設けられた間欠部の位置が変化し、ギアドライブ３４とギアドライブ３４とが噛み
合うようになる。このように噛み合いが成立すると、駆動モーター４３の駆動力が、ギア
トレイ４２を介してカムスライダーラック４４ｃ、ひいてはカムスライダー４４に伝達さ
れるようになる。
【００４５】
そのため、カムスライダー４４は、駆動モーター４３の駆動力によって、一層Ｅ１方向
へと移動するようになる。そして、このカムスライダー４４のカム溝４５には、トラバー
スホルダー２５のＴボス２５ａが嵌め込まれているので、カムスライダー４４の移動に伴
って（連動して）、Ｔボス２５ａが上側開口溝、傾斜開口溝、下側開口溝の順で移動して
いく。すると、このＴボス２５ａの移動に伴って、トラバースホルダー２５がＧ１方向へ
と降下するようになる（図１参照）。その結果、トラバースホルダー２５を取り付けてい
るトラバースアッシィ２１、ひいてはＴＡＵ２０が降下するようになる。
《ＴＡＵの移動からディスクトレイの移動への切り替えについて》
上記のように、ＴＡＵ２０が降下し、さらに駆動モーター４３が回転すると、カムスラ
イダー４４は一層、Ｅ１方向へとスライドしていく。そのため、ディスクトレイ１０のト
レイ溝１２・１２に係合した立設ボス４４ｂ・４４ｂもＥ１方向へと移動していることに
なる。すると、立設ボス４４ｂが、段階的に屈曲して「Ｌ」字上となっているトレイ溝１
２・１２の長手部分へと位置するようになってくる。そのため、立設ボス４４ｂ・４４ｂ
の移動過程においてディスクトレイ１０がＨ１方向（フロント方向）へ、若干移動するよ
うになる。
【００４６】
その結果、トレイラック１３もＨ１方向に移動することになり、ギアトレイ４２と噛み
合うようになる。なお、トレイラック１３とギアトレイ４２とが噛み合うと同時に、カム
スライダー４４とギアトレイ４２との噛み合いが解除されるように設計されている。
《ディスクトレイの移動（トレイオープン）について》
上記のように、トレイラック１３とギアトレイ４２とが噛み合うと、ギアトレイ４２の
Ｆ１方向の回転に伴いトレイラック１３もＨ１方向に移動することになる。つまりディス
クトレイ１０がフロント側へと移動し、オープン動作を開始するようになる。
【００４７】
以上のように、本発明のディスク装置９０では、１つの駆動モーター４３の回転によっ
て、「ＯＰＵの動作」・「ＴＡＵの動作」・「ディスクトレイの動作」の３つの動作を可
能にしている。
【００４８】
なお、上述では、「ＯＰＵのディスク内周への移動」・「ＴＡＵの降下」・「ディスク
トレイのオープン」に係る動作について説明したが、駆動モーター４３を逆回転方向に回
転させることで、上記のＡ１〜Ｈ１方向とは逆方向のＡ２〜Ｈ２方向の回転・移動によっ
て、「ＯＰＵのディスク外周への移動」・「ＴＡＵの上昇」・「ディスクトレイのクロー
ズ」に係る動作も可能となっている。また、ＯＰＵ２２は、ディスク内周に到達すると同
時にロックされ、ＴＡＵ２０の降下中には変動しないようになっている一方、ＴＡＵ２０
が上昇して、上昇が完了すると同時にロックが解除されるようになっている。
〈本発明の特徴的な構成・効果について〉
上述したようなディスク装置９０では、複数の部材を１つの駆動モーター４３で移動（
動作）させることから、図２に示すように、トラバースアッシィ２１上の端部（例えばト
ラバースアッシィ２１上の長手・短手近傍）または隅部（例えばトラバースアッシィ２１
上の４隅）に駆動力伝達ギア群を配設せざるを得ない場合がある。
【００４９】
しかしながら、本発明では、図２に示すように、トラバースアッシィ２１の４隅（４つ
の隅部）の一つに位置する第３ギア３４の中心に開口（軸受け開口２）を設け、その開口
内部にダンパー１を配設させるようにしている。
【００５０】
具体的には、図１（図２の矢視Ａ−Ａ’線概略断面図）に示すように、トラバースアッ
シィ２１上にダンパー用開口３を有した円環状で、かつトラバースアッシィ２１から突出
（突起）した軸ボス４を設けている。さらに、その軸ボス４の内部にダンパー用開口３の
内径から突起させた係止部５を設けている。そして、軸ボス４の外径とほぼ同サイズの軸
受け開口２を第３ギア３４に設けておき、の第３ギア３４を軸ボス４に嵌め込むようにす
るとともに、ダンパー１を係止部５に係止させるようにしている。
【００５１】
具体的には、ダンパー１は、ダンパー用開口３の内径とほぼ同じ径を有した円筒状とな
っている。さらに、このダンパー１は、その円筒軸の方向（軸ボス４の軸方向と同方向）
に開口（Ｄ開口１ａ）を有するとともに、外周部には、係止部５の嵌る外径溝１ｂが刻ま
れるようになっている。そのため、上記のように、係止部５によって係止されるようにな
っている。
【００５２】
そして、さらに本発明では、トラバースホルダー２５上に設けられたネジ孔２５ｂを有
する丸ボス（ＴＨ丸ボス２５ｃ）が、上記のＤ開口１ａに嵌るようになっている。そして
、このネジ孔２５ｂに固定ネジ（不図示）をねじ込むことで、ダンパー１・トラバースア
ッシィ２１・トラバースホルダー２５を互いに固定させるようになっている。
【００５３】
つまり、本発明では、トラバースアッシィ２１上にダンパー１を設けるとともに、その
ダンパー１の外周を囲むような円環状で（ダンパー用開口３を有するようにして）、かつ
トラバースアッシィ２１上から突起した軸ボス４を設け、さらに、駆動力伝達ギア群の一
つである第３ギア３４に開口２を設け、その開口２と、上記軸ボス４とを嵌めあわせてい
る。
【００５４】
このような構成であれば、トラバースホルダー２５の動作に連動して、ＴＡＵ２０が昇
降した場合であっても、ダンパー１によって、トラバースホルダー２５の振動をトラバー
スアッシィ２１に伝達させづらくする。また、ディスクの再生等の場合に生じる振動自体
（上下振動や横振動）をダンパー１によって吸収することもできる。
【００５５】
また、トラバースアッシィ２１の４隅や端部にギアを配置せざるをえないような場合で
あっても、ダンパー１をその４隅や端部に（４隅や端部の少なくとも一方に）配設させる
ことができるので、効率よく振動を吸収させることのできるディスク装置９０となる。
【００５６】
なお、本発明は上記の実施の形態に限定されず、本発明の趣旨を逸脱しない範囲で、種
々の変更が可能である。
【００５７】
例えば、第３ギア３４の位置に以外で、すなわち第１ギア３２や第２ギア３３にダンパ
ー１を設けても構わない。また、上述では、ダンパー１を介して、固定ネジでトラバース
ホルダー２５とトラバースアッシィ２１とを連結させるようにした。しかし、トラバース
アッシィ２１の別の箇所でトラバースホルダー２５を別個に螺合等して固定する一方、第
３ギア３４内部にダンパー１を介在させるようにしておいても（つまり、トラバースホル
ダー２５とトラバースアッシィ２１とをダンパー１を介して連結させていなくとも）、一
定の振動抑制効果を発揮するようになっている。
【００５８】
なお、図３・図４に示すような駆動力伝達ギア群の配置は一例であって、種々の配置が
考えられる。しかしながら、本発明のように、ギア内部にダンパーを配設させるようにす
れば、種々の配置であっても、トラバースアッシィの４隅や端部にダンパーを配設させる
ことができる。
【産業上の利用可能性】
【００５９】
本発明は、ＣＤやＤＶＤ等のディスク装置について有用である。
【図面の簡単な説明】
【００６０】
【図１】本発明のディスク装置であり、後述の図２の矢視Ａ−Ａ’線概略断面図である。
【図２】後述の図４から図４からトラバースアッシィユニットを部分抽出した概略構成図である。
【図３】後述の図４に示すローダーシャーシやトラバースアッシィを省略した概略構成図である。
【図４】上方からみた本発明のディスク装置内部の概略構成図である。
【図５】下方からみた本発明のディスク装置内部の概略構成図である。
【図６】本発明のディスク装置の斜視図である。
【符号の説明】
【００６１】
１    ダンパー（緩衝部材）
１０    ディスクトレイ
２０    トラバースアッシィユニット
２１    トラバースアッシィ
２２    光ピックアップユニット（ＯＰＵ）
３２    第１ギア（駆動力伝達ギア）
３３    第２ギア（駆動力伝達ギア）
３４    第３ギア（駆動力伝達ギア）
４０    ローダーシャーシユニット
４１    ローダーシャーシ
４２    ギアトレイ
４３    駆動モーター
９０    ディスク装置
【図１】
2006040390.tif 000003
【図２】
2006040390.tif 000004
【図３】
2006040390.tif 000005
【図４】
2006040390.tif 000006
【図５】
2006040390.tif 000007
【図６】
2006040390.tif 000008